(57)【特許請求の範囲】
【請求項１】
少なくとも前面に開口を有する箱本体と、前記開口を開閉する扉体と、前記箱本体と前記扉体との間に介在され、前記箱本体に対し前記扉体を右側部若しくは左側部を軸として片開き自在に蝶着するための蝶番とを備えた電気機器収納用箱体であって、
前記蝶番が、
前記箱本体側と前記扉体側との何れか一方に固定され、ヒンジピンを上下方向に挿通可能な一対のピン受け部を、上下に所定の距離だけ離して有する第１ピン受け部材と、
他方に固定され、前記第１ピン受け部材の前記ピン受け部間に入れ込み可能で、且つ、前記ヒンジピンを挿通可能な筒状のピン受け部を有する第２ピン受け部材とを有しているとともに、
前記第１ピン受け部材の下側のピン受け部と、前記第２ピン受け部材のピン受け部の下端部との間に、合成樹脂製の緩衝部材を介在させてなり、
さらに、前記緩衝部材が、
前記ヒンジピンを挿通可能で、且つ、上端縁に外方へ突出する鍔状のフランジ部が設けられた上下方向へ延びる円筒状に形成されており、
前記フランジ部を前記第１ピン受け部材の下側のピン受け部上に位置させ、下部を前記第１ピン受け部材の下側のピン受け部よりも下方へ突出させた状態で取り付けられているとともに、
前記緩衝部材の下部が先割れ状の係止爪となっている一方、前記ヒンジピンの周面に凹溝が周設されており、前記ヒンジピンの挿通に伴い、前記係止爪が一旦押し広げられた後に縮径して前記凹溝に係止し、前記ヒンジピンの前記緩衝部材からの抜け止めがなされることを特徴とする電気機器収納用箱体。
【請求項２】
前記箱本体側に固定されるピン受け部材のピン受け部に、前記扉体を片開きする際の前記扉体の回動軌跡上に突出する規制部を設け、
前記扉体が前記規制部に当接することにより、前記扉体の開放方向への更なる回動を規制可能としたことを特徴とする請求項１に記載の電気機器収納用箱体。
【発明の詳細な説明】
【技術分野】
【０００１】
本発明は、たとえば分電盤や配電盤、制御盤等の各種電気機器を収納するための電気機器収納用箱体に関するものである。
【背景技術】
【０００２】
分電盤や配電盤等の各種電気機器を収納するための電気機器収納用箱体としては、前面に開口を有する箱本体の前面側に、その開口を開閉するための扉体を、左右何れか一方の側部を軸として片開き自在に蝶着したものが従来一般的に知られている。
そして、そのように扉を片開き自在に蝶着する構造としては、たとえば特許文献１に記載されているように、ピン受け部を有し、箱本体側に固定される第１受け部材と、同様にピン受け部を有しており、扉体側に固定される第２受け部材と、両ピン受け部に挿通されるヒンジピンとを有する蝶番を用いる構造が一般的である。
【先行技術文献】
【特許文献】
【０００３】
【特許文献１】特開２００２−３２７５６９号公報
【発明の概要】
【発明が解決しようとする課題】
【０００４】
しかしながら、一般的な蝶番においては、第１受け部材、第２受け部材、及びヒンジピンの全てが金属製であることから、扉体の開閉時に金属同士が擦れるような異音が発生しやすく、異音の発生防止が求められている。
【０００５】
そこで、本発明は、上記問題に鑑みなされたものであって、扉体の開閉時における蝶番での異音の発生を防止することができる電気機器収納用箱体を提供しようとするものである。
【課題を解決するための手段】
【０００６】
上記目的を達成するために、本発明のうち請求項１に記載の発明は、少なくとも前面に開口を有する箱本体と、前記開口を開閉する扉体と、前記箱本体と前記扉体との間に介在され、前記箱本体に対し前記扉体を右側部若しくは左側部を軸として片開き自在に蝶着するための蝶番とを備えた電気機器収納用箱体であって、前記蝶番が、前記箱本体側と前記扉体側との何れか一方に固定され、ヒンジピンを上下方向に挿通可能な一対のピン受け部を、上下に所定の距離だけ離して有する第１ピン受け部材と、他方に固定され、前記第１ピン受け部材の前記ピン受け部間に入れ込み可能で、且つ、前記ヒンジピンを挿通可能な筒状のピン受け部を有する第２ピン受け部材とを有しているとともに、前記第１ピン受け部材の下側のピン受け部と、前記第２ピン受け部材のピン受け部の下端部との間に、合成樹脂製の緩衝部材を介在させてなり、さらに、前記緩衝部材が、前記ヒンジピンを挿通可能で、且つ、上端縁に外方へ突出する鍔状のフランジ部が設けられた上下方向へ延びる円筒状に形成されており、前記フランジ部を前記第１ピン受け部材の下側のピン受け部上に位置させ、下部を前記第１ピン受け部材の下側のピン受け部よりも下方へ突出させた状態で取り付けられているとともに、前記緩衝部材の下部が先割れ状の係止爪となっている一方、前記ヒンジピンの周面に凹溝が周設されており、前記ヒンジピンの挿通に伴い、前記係止爪が一旦押し広げられた後に縮径して前記凹溝に係止し、前記ヒンジピンの前記緩衝部材からの抜け止めがなされることを特徴とする。
請求項２に記載の発明は、請求項１に記載の発明において、前記箱本体側に固定されるピン受け部材のピン受け部に、前記扉体を片開きする際の前記扉体の回動軌跡上に突出する規制部を設け、前記扉体が前記規制部に当接することにより、前記扉体の開放方向への更なる回動を規制可能としたことを特徴とする。
【発明の効果】
【０００７】
本発明によれば、蝶番が、箱本体側と扉体側との何れか一方に固定され、ヒンジピンを上下方向に挿通可能な一対のピン受け部を、上下に所定の距離だけ離して有する第１ピン受け部材と、他方に固定され、第１ピン受け部材のピン受け部間に入れ込み可能で、且つ、ヒンジピンを挿通可能な筒状のピン受け部を有する第２ピン受け部材とを有しているとともに、第１ピン受け部材の下側のピン受け部と、第２ピン受け部材のピン受け部の下端部との間に、合成樹脂製の緩衝部材を介在させている。したがって、扉体の最も荷重のかかりやすい箇所に緩衝部材が介在され、金属製の部材同士が接触しないため、扉体の開閉時に金属同士が擦れるような異音が発生する事態を効果的に防止することができる。
また、緩衝部材の下部が先割れ状の係止爪となっている一方、ヒンジピンの周面に凹溝が周設されており、ヒンジピンの挿通に伴い、係止爪が一旦押し広げられた後に縮径して凹溝に係止することにより、ヒンジピンの緩衝部材からの抜け止めがなされるようになっている。したがって、蝶番の組み立て後、ひいては扉体の蝶着後、ヒンジピンが不用意に抜け落ちたりする心配がない。また、係止爪が緩衝部材に一体的に設けられているため、部品点数が少なく、コスト低減を図ることができる。
さらに、請求項２に記載の発明によれば、箱本体側に固定されるピン受け部材のピン受け部に、扉体を片開きする際の扉体の回動軌跡上に突出する規制部を設け、扉体が規制部に当接することにより、扉体の開放方向への更なる回動を規制可能としている。したがって、扉体を開放した際、扉体と箱本体とが勢いよく衝突する等して箱本体や扉体が変形する事態を防止することができる。
【図面の簡単な説明】
【０００８】
【図１】扉体が開放された状態にある電気機器収納用箱体を示した斜視説明図である。
【図２】蝶番全体を示した説明図である。
【図３】分解状態にある蝶番を示した斜視説明図である。
【図４】蝶番の組み立てを示した断面説明図である。
【図５】扉体を開閉した際の蝶番部分を上方から示した説明図である。
【発明を実施するための形態】
【０００９】
以下、本発明の一実施形態となる電気機器収納用箱体（以下、単に収納箱と称す）について、図面をもとに説明する。
【００１０】
図１は、扉体３が開放された状態にある収納箱１を示した斜視説明図である。また、図２は、蝶番１０全体を示した説明図である。さらに、図３は、分解状態にある蝶番１０を示した斜視説明図である。図４は、蝶番１０の組み立てを示した断面説明図である。図５は、扉体３を開閉した際の蝶番１０部分を上方から示した説明図である。
収納箱１は、前面に開口を有する箱本体２と、箱本体の開口を開閉する扉体３とを備えてなる。箱本体２は、天板、左右両側板、背板、及び底板を有して前面を除く５面（上面、左右両側面、後面、及び下面）が閉塞された箱体であり、その内部空間に、分電盤等の各種電気機器を収納可能となっている。また、箱本体２の前面の開口周縁部には、前方へ延設された後に上下左右外方へ折り返されてなる水切り部４が設けられている。さらに、箱本体２の前面には、水切り部４を含めて箱本体２の開口を閉塞するように扉体３が取り付けられている。そして、箱本体２と扉体３との間には、それらの右側部の上部及び下部において夫々蝶番１０、１０が介在されており、扉体３は、箱本体２に対し右側部を軸として片開き自在となっている。
【００１１】
ここで、本発明の要部となる蝶番１０について詳述する。
蝶番１０は、金属製の第１ピン受け部材１１、第２ピン受け部材１２、及びヒンジピン１３と、合成樹脂製のピン止め部材１４とを有する。第１ピン受け部材１１は、側面視コ字状に折り曲げられてなるもので、上下方向へ延びる固定部１５には、図５に示すように自身を水切り部４の外面（箱本体２側）に固定するための固定孔１６、１６が穿設されている。また、固定部１５の上下両端部から対向するように折り曲げられた各折り曲げ部には、ヒンジピン１３を挿通可能なピン受け孔１７が夫々穿設されている（すなわち、折り曲げ部がピン受け部となっている）。さらに、各折り曲げ部の先端側は、上面視円形に形成されているとともに、その頂部から外周縁に沿って両側へ夫々略９０度回った位置には、外方へ張り出す規制段部２６が設けられている。
【００１２】
第２ピン受け部材１２は、上下方向へ長い板状の固定部１８と、固定部１８の長手方向端縁から立設されたピン受け部１９とを有する。そして、固定部１８には、図５に示すように自身を扉体３側（具体的には、扉体３の外周縁に設けられた後方への折り返し部の内面）に固定するための固定孔２０、２０が穿設されている。また、ピン受け部１９は、上下方向へ延びる筒状に形成されており、ヒンジピン１３を挿通可能となっている。なお、ピン受け部１９の上下方向での長さは、第１ピン受け部材１１における上下の折り曲げ部間の距離よりも若干短くなっており、該ピン受け部１９は、蝶番１０の組み立て時において第１ピン受け部材１１の折り曲げ部間に入り込み可能となっている。
【００１３】
ヒンジピン１３は、第１ピン受け部材１１の折り曲げ部間よりも上下方向へ長い棒状部材であって、上側が基端側、下側が先端側となっており、基端部（上端部）には、ピン受け孔１７よりも大径な円板状に形成されたピン頭部２１が設けられている。また、ヒンジピン１３の先端部（下端部）は先細り状に形成されているとともに、その先端部よりも基端側であって、ピン頭部２１から折り曲げ部間よりも下方となる位置（すなわち、蝶番１０の組み立て時に、下側の折り曲げ部よりも下方となる位置）の外周面には、凹溝が周設されており、ピン止め部材１４の係止爪２４が係止可能な被係止部２２として機能するようになっている。
【００１４】
ピン止め部材１４は、第１ピン受け部材１１の下側のピン受け孔１７へ挿入して取付可能な円筒状に形成されており、その中心部に上下方向へ穿設されている孔は、ヒンジピン１３を挿通可能な挿通孔２３として機能するようになっている。また、挿通孔２３の下部は、ヒンジピン１３よりも小径とされている一方、ピン止め部材１４の下端部は先割れ状に形成されており、当該先割れ部は、挿通孔１３内へヒンジピン１３を挿通させることで、ヒンジピン１３によって一旦押し広げられた後、ヒンジピン１３の先端部の下方への突出に伴い縮径して被係止部２２に係止する係止爪２４となっている。さらに、ピン止め部材１４の上端縁には、上面視円形に形成された鍔状のフランジ部２５が外方へ突設されており、ピン受け孔１７よりも大径となっている。
【００１５】
そして、上記第１ピン受け部材１１、第２ピン受け部材１２、ヒンジピン１３、及びピン止め部材１４を備えた蝶番１０は、以下のようにして組み立てられ、箱本体２と扉体３との間に介在される。
まず、第１ピン受け部材１１を、箱本体２側の所定位置（ここでは、水切り部４の右部表面における上部及び下部）にネジ止めして固定する。また、各第１ピン受け部材１１の下側の折り曲げ部に、ピン受け孔１７へ上方からフランジ部２５の下面が折り曲げ部の上面に当接するまでピン止め部材１４を差し込む。このとき、ピン止め部材１４の係止爪２４は、ピン受け孔１７を貫通して折り曲げ部の下側に突出している。一方、第２ピン受け部材１２を、扉体３側の所定位置（ここでは、右側の折り返し部の内面における上部及び下部）にネジ止めして固定する。そして、第２ピン受け部材１２のピン受け部１９を、第１ピン受け部材１１の折り曲げ部間に入れ込み、ヒンジピン１３を第１ピン受け部材１１の上方から上側のピン受け孔１７へ差し込む。さらに、そのままヒンジピン１３を、上側のピン受け孔１７、ピン受け部１９、ピン止め部材１４の順に挿通させ、ヒンジピン１３のピン頭部２１の下面が上側の折り曲げ部の上面に当接し、且つ、ヒンジピン１３の先端がピン止め部材１４よりも下方へ突出するまで差し込めば、蝶番１０の組み立て、そして箱本体２と扉体３との間への介在、ひいては扉体３の箱本体２への蝶着が完了となる。
【００１６】
そして、そのように組み立てられ、箱本体２と扉体３との間に介在された蝶番１０では、合成樹脂製のフランジ部２５の上に金属製のピン受け部１９が載置された状態となっており、扉体３の荷重が最もかかりやすいピン受け部１９の下端部において、金属製部材同士が接触しないようになっている。また、図４（ｂ）に示すように、下側の折り曲げ部の下方において、ピン止め部材１４の係止爪２４がヒンジピン１３の被係止部２２に係止しており、ヒンジピン１３が抜け止めされている。さらに、扉体３の回動軌跡上に第１ピン受け部材１１の規制段部２６が突出しており、図５に示す如く、扉体３を開放した際にその一部が規制段部２６に当接することで、扉体３の開放方向への更なる回動が規制されるようになっている。
【００１７】
以上のような構成を有する収納箱１によれば、蝶番１０において、第２ピン受け部材１２のピン受け部１９と、第１ピン受け部材１１の下側の折り曲げ部との間に、合成樹脂製のピン止め部材１４のフランジ部２５が介在されており、金属製の両ピン受け部材１１、１２が接触しないようになっている。したがって、フランジ部２５が緩衝部材として機能することになり、扉体３の開閉時に金属同士が擦れるような異音が発生する事態を効果的に防止することができる。
【００１８】
また、ピン止め部材１４を、その下端部に先割れ状の係止爪２４が設けられた筒状に形成し、第１ピン受け部材１１の下側の折り曲げ部に、ピン止め部材１４の係止爪２４が、ピン受け孔１７を貫通して折り曲げ部の下側まで突出するようにして取り付けている。そして、ピン止め部材１４に挿通されたヒンジピン１３の被係止部２２に係止爪２４を係止させることにより、ヒンジピン１３がピン止め部材１４から抜け止めされるようにしている。したがって、蝶番１０の組み立て後、ひいては扉体３の蝶着後、ヒンジピン１３が不用意に抜け落ちたりする心配がない。また、ピン止め部材１４にフランジ部２５と係止爪２４とを設けているため、部品点数が少なく、コスト低減を図ることができる。
【００１９】
さらに、第１ピン受け部材１１の折り曲げ部に、扉体３を片開きする際の扉体３の回動軌跡上に突出する規制段部２６を設け、扉体３が規制段部２６に当接することにより、扉体３の開放方向への更なる回動を規制可能としている。したがって、扉体３を開放した際、扉体３と箱本体２とが勢いよく衝突する等して箱本体２や扉体３が変形する事態を防止することができる。
【００２０】
なお、本発明の収納箱に係る構成は、上記実施形態に記載の態様に何ら限定されるものではなく、箱本体、扉体、及び蝶番に係る構成を、本発明の趣旨を逸脱しない範囲で、必要に応じて適宜変更することができる。
【００２１】
たとえば、上記実施形態では、箱本体側に第１ピン受け部材を、扉体側に第２ピン受け部材を夫々固定しているが、扉体側に第１ピン受け部材を、箱本体側に第２ピン受け部材を夫々固定するとしても何ら問題はない。そして、箱本体側に第２ピン受け部材を固定するに際しては、第２ピン受け部材に規制部を設けてもよい。
また、緩衝部材をピン止め部材としており、緩衝部材に係止部を一体的に設けているが、緩衝部材と抜け止め部材とを別体として構成することも可能である。
【００２２】
さらに、上記実施形態では、扉体の右側部を軸として片開き自在としているが、言うまでもなく左側部を軸として片開き自在としても何ら問題はない。
加えて、蝶番の固定位置についても、水切り部ではなく、箱本体の開口周縁の前面に固定する等、適宜設計変更可能である。
【符号の説明】
【００２３】
１・・収納箱（電気機器収納用箱体）、２・・箱本体、３・・扉体、１０・・蝶番、１１・・第１ピン受け部材、１２・・第２ピン受け部材、１３・・ヒンジピン、１４・・ピン止め部材（緩衝部材）、１７・・ピン受け孔（第１ピン受け部材のピン受け部）、１９・・ピン受け部（第２ピン受け部材のピン受け部）、２２・・被係止部、２３・・挿通孔、２４・・係止爪（係止部）、２５・・フランジ部（緩衝部材）、２６・・規制段部（規制部）。
【図１】
0006545545.tif 000002
【図２】
0006545545.tif 000003
【図３】
0006545545.tif 000004
【図４】
0006545545.tif 000005
【図５】
0006545545.tif 000006